(57)【要約】【課題】各種制御盤に組み込まれて複数種のケーブルを分類して配線することができ、しかも電気回路部の種別等に応じて適応的にケーブルを引き出すことのできる配線用ダクトを提供する。【解決手段】長手方向の側面に複数のケーブル引き出し孔を備えた長尺樋状のダクト本体と、このダクト本体の上面開口部を覆って該ダクト本体の天板を形成する蓋体と、前記ダクト本体の内底部に設けられて該ダクト本体の内部を幅方向に区画する長尺のセパレータと、このセパレータに切り起こし可能に設けられ、該セパレータから切り起こされて前記ダクト本体の内部を高さ方向に仕切る複数の仕切り片とを備える。【選択図】      図１
2015082966.tif 000002
【特許請求の範囲】
【請求項１】
長手方向の側面に複数のケーブル引き出し孔を備えた長尺樋状のダクト本体と、
このダクト本体の上面開口部を覆って該ダクト本体の天板を形成する蓋体と、
前記ダクト本体の内底部に設けられて該ダクト本体の内部を幅方向に区画する長尺のセパレータと、
このセパレータの一部をなして該セパレータから切り起こし可能に設けられ、前記セパレータから切り起こされて前記ダクト本体の内部を高さ方向に仕切る複数の仕切り片と
を具備したことを特徴とする配線用ダクト。
【請求項２】
前記セパレータは、前記ダクト本体の内部空間を幅方向に等分する位置に設けられ、
前記仕切り片は、前記セパレータが区画した前記ダクト本体の内部空間の一方に選択的に切り起こされて該内部空間を高さ方向に仕切る長さを有する請求項１に記載の配線用ダクト。
【請求項３】
前記複数のケーブル引き出し孔は、前記ダクト本体の長手方向に沿って所定の配列ピッチで設けられ、
前記複数の仕切り片は、前記ケーブル引き出し孔に対峙しない位置にそれぞれ設けられている請求項１に記載の配線用ダクト。
【請求項４】
前記仕切り片は、基端部を前記セパレータに連接して該セパレータと一体に設けられ、前記基端部を支点として先端部を折り曲げることで前記セパレータから切り起こし可能に設けられた舌片からなり、
前記仕切り片の切り起こしにより開口された前記セパレータの開口部は、該セパレータが区画した前記ダクト本体の内部空間を連通するケーブル挿通部として用いられる請求項１に記載の配線用ダクト。
【請求項５】
前記ダクト本体および前記セパレータは、それぞれ絶縁性の合成樹脂材からなり、
前記ダクト本体の内壁面には、前記セパレータから切り起こされた前記仕切り片の先端部に係合して該仕切り片を切り起こし状態に支持する突起が設けられている請求項１に記載の配線用ダクト。
【請求項６】
請求項１〜５のいずれかに記載の配線用ダクトにおいて、
前記セパレータは、更に該セパレータが区画した前記ダクト本体の内部空間を連通するケーブル挿通孔を備えることを特徴とする配線用ダクト。
【請求項７】
前記ケーブル挿通孔は、前記セパレータにおける前記複数の仕切り片の形成部位を避けた部位に、前記ケーブル引き出し孔に対峙させて設けられている請求項６に記載の配線用ダクト。
【発明の詳細な説明】
【技術分野】
【０００１】
本発明は、制御盤に組み込まれて複数種のケーブルを分類して配線するに好適な配線用ダクトに関する。
【背景技術】
【０００２】
プラント設備等に設けられる制御盤には、電源ケーブルのみならず、複数の電気回路に対する信号ケーブルや通信ケーブル等が敷設される。この種のケーブルの敷設は、専ら、前記制御盤の内部に設けた配線用ダクトを通して行われる。ちなみに前記配線用ダクトは、通常、前記制御盤の内壁面や支柱等に固定される長尺樋状のダクト本体と、このダクト本体の上面開口部を覆う蓋体とからなり、その内部にケーブル類の敷設空間を形成した構造を有する。
【０００３】
ところで前記配線用ダクトに、前記電源ケーブルや信号ケーブル等をまとめて敷設した場合、これらのケーブル間での誘導障害が問題となることがある。また前記配線用ダクト内において、例えば回路種別毎に複数種のケーブルを分離し、該配線用ダクトから選択的に引き出すことも困難である。これ故、従来では、例えば前記配線用ダクトの外部においてケーブル類を分離して束ねる等して対処している。
【０００４】
一方、例えば特許文献１には、建屋の床に電源ケーブルや信号ケーブル等を敷設する為のケーブル用ピットとして、断面コ字状の複数のピット材を横並びに結合して設け、これらの各ピット材に複数種のケーブルを分類して敷設することが紹介されている。
【先行技術文献】
【特許文献】
【０００５】
【特許文献１】特許第３３８２０１３号公報
【発明の概要】
【発明が解決しようとする課題】
【０００６】
しかしながら複数のピット材を横並びに結合した構造の前記ケーブル用ピットは、その形状が大型化することが否めない。これ故、前記制御盤の限られた内部空間内に上記構造のケーブル用ピットを配設することは、一般的には困難である。しかも前記ケーブル用ピットの途中から、例えば回路種別毎に分類したケーブル、或いはケーブル束を選択的に引き出すことも困難である。まして電気回路部の機能変更等に伴ってケーブルの敷設を適応的に変更することも困難である。
【０００７】
本発明はこのような事情を考慮してなされたもので、その目的は、各種の制御盤において複数種のケーブルを分類して配線することができ、しかも電気回路部の種別等に応じて適応的にケーブルを引き出すことのできる配線用ダクトを提供することにある。
【課題を解決するための手段】
【０００８】
上述した目的を達成するべく本発明に係る配線用ダクトは、
長手方向の側面に複数のケーブル引き出し孔を備えた、例えば断面コ字状をなす長尺樋状のダクト本体と、
このダクト本体の上面開口部を覆って該ダクト本体の天板を形成する蓋体と、
前記ダクト本体の内底部に設けられて該ダクト本体の内部を幅方向に区画する長尺のセパレータと、
このセパレータの一部をなして該セパレータから切り起こし可能に設けられ、前記セパレータから切り起こされて前記ダクト本体の内部を高さ方向に仕切る複数の仕切り片と
を具備したことを特徴としている。
【０００９】
好ましくは前記セパレータは、前記ダクト本体の内部空間を幅方向に等分する位置に、例えば前記ダクト本体の内底部に着脱自在に設けられる。また前記仕切り片は、前記セパレータが区画した前記ダクト本体の内部空間の一方に選択的に切り起こされて該内部空間を高さ方向に仕切る長さを有するものとして設けられる。好ましくは前記複数のケーブル引き出し孔を、前記ダクト本体の長手方向に沿って所定の配列ピッチで設ける。そして前記複数の仕切り片を、前記ケーブル引き出し孔に対峙しない位置にそれぞれ設けることが望ましい。
【００１０】
また前記仕切り片を、基端部を前記セパレータに連接して該セパレータと一体に設け、前記基端部を支点として先端部を折り曲げることで前記セパレータから切り起こし可能に設けられた舌片として実現することが望ましい。そして前記仕切り片の切り起こしにより開口された前記セパレータの開口部を、該セパレータが区画した前記ダクト本体の内部空間を連通するケーブル挿通部として利用することが望ましい。
【００１１】
好ましくは前記ダクト本体および前記セパレータは、それぞれ絶縁性の合成樹脂材、例えば塩化ビニル樹脂（ＰＶＣ）からなる。また前記ダクト本体の内壁面に、前記セパレータから切り起こされた前記仕切り片の先端部に係合して該仕切り片を切り起こし状態に支持する突起を設けておくことが望ましい。
【００１２】
更に前記セパレータに、予め該セパレータが区画した前記ダクト本体の内部空間を連通するケーブル挿通孔を設けておくことも好ましい。ちなみに前記ケーブル挿通孔については、例えば前記セパレータにおける前記複数の仕切り片の形成部位を避けた部位に、具体的には前記ダクト本体の内底部に近い部位に、前記ケーブル引き出し孔に対峙させて設ければ良い。
【発明の効果】
【００１３】
上記構造の配線用ダクトによれば、ダクト本体の内部に設けたセパレータにより該ダクト本体の内部空間を幅方向に区画することができる。更には前記セパレータに設けた仕切り片を該セパレータから切り起こすことで前記ダクト本体の内部を高さ方向に仕切ることができる。この結果、前記セパレータと前記仕切り片とにより前記ダクト本体の内部空間を幅方向および高さ方向に区画することが可能となり、これらの区画された内部空間に複数種のケーブルを分類して敷設することができる。
【００１４】
しかも上記の如く区画した各空間にそれぞれ敷設されたケーブルを、前記ダクト本体の側面に設けたケーブル引き出し孔を介して配線用ダクトの外部に簡易に引き出すことができる。また必要に応じて前記ケーブル挿通孔や前記仕切り片を切り起こすことで前記セパレータに開口されたケーブル挿通部から前記ケーブル引き出し孔を介して、前記配線用ダクトに敷設されたケーブルを外部に簡易に引き出すことができる。
【００１５】
従って制御盤の限られた内部空間に設けた本発明に係る配線用ダクトを介して、複数種のケーブルを分類して容易に敷設することが可能である。また前記配線用ダクトに敷設したケーブルを前記ケーブル引き出し孔を介して適宜外部に引き出すことができる。故に、ケーブル間での誘導障害の問題を効果的に解消して複数種のケーブルの敷設を可能とすることができる。しかも電気回路部の機能変更に伴うケーブルの配線変更に柔軟に対処することができる等の効果が奏せられる。
【図面の簡単な説明】
【００１６】
【図１】本発明の一実施形態に係る配線用ダクトの概略構成を示す分解斜視図。
【図２】図１に示す配線用ダクトの使用形態を示す断面図。
【図３】セパレータに一体に設けられる仕切り片の構造を示す部分断面図。
【図４】仕切り片の切り起こしの形態を示す斜視図。
【図５】本発明の別の実施形態に係る配線用ダクトにおけるセパレータと、該セパレータに設けられる仕切り片の構造を示す斜視図。
【発明を実施するための形態】
【００１７】
以下、図面を参照して本発明に係る配線用ダクトについて説明する。
【００１８】
図１は本発明の一実施形態に係る配線用ダクト１の概略構成を示す分解斜視図である。この配線用ダクト１は、例えばプラント設備に設けられる制御盤の内壁面や支柱等に取り付けられて、該制御盤内における電源ケーブルや信号ケーブル等の敷設に用いられる。ちなみに前記配線用ダクト１は、例えばケーブル収納部として幅（Ｗ）１００ｍｍ、高さ（Ｈ）１００ｍｍの断面積をなす内部空間を形成した長さ（Ｌ）２ｍ程度の大きさの塩化ビニル樹脂（ＰＶＣ）製のものからなる。
【００１９】
前記配線用ダクト１は、略コ字状の断面形状をなす長尺樋状のダクト本体２と、このダクト本体２の上面開口部を覆って該ダクト本体２の天板を形成する蓋体３とを備える。ちなみに前記ダクト本体２の両側壁面の上端部には、外側に向けて凹部をなす溝２ａが該ダクト本体２の長手方向に沿ってそれぞれ設けられている。また前記蓋体３の幅方向両端部には、前記ダクト本体２の側壁面上端部を挟み込んで前記溝２ａに係合可能な折り曲げ辺部３ａが形成されている。前記ダクト本体２への前記蓋体３の装着は、前記折り曲げ辺部３ａを前記溝２ａに弾性的に係合させることにより行われる。
【００２０】
また前記ダクト本体２の長手方向の側面には、所定の配列ピッチで開口された複数のケーブル引き出し孔４が設けられている。これらのケーブル引き出し孔４は、例えば幅１０ｍｍ、高さ１６ｍｍ程度の縦長の開口部を、前記ダクト本体２の長手方向に１０〜２０ｍｍ間隔で形成して設けられる。ちなみに図１においては、７個のケーブル引き出し孔４を設けた例を示しているが、その数は前記配線用ダクト１の長さや該ケーブル引き出し孔４の大きさ等に応じて設定される。
【００２１】
一方、前記長尺樋状のダクト本体２の内部には、該ダクト本体２の内部を幅方向に区画する長尺板状のセパレータ５が設けられる。このセパレータ５も、前記ダクト本体２と同様な塩化ビニル樹脂（ＰＶＣ）製のものからなる。前記セパレータ５は、例えばその下端部をＬ字状に折り曲げて前記ダクト本体２の内底部への固定部としたのもので、該ダクト本体２の内底部に着脱自在に固定される。このセパレータ５の前記ダクト本体２の内底部への固定は、例えばねじ留めにより行われる。特に前記セパレータ５は、例えば前記ダクト本体２の内部空間を幅方向に等分して区画するように、該ダクト本体２の中心線に沿って設けられる。尚、セパレータ５の下端部を、例えば前記ダクト本体２の内底部に設けた嵌合溝に嵌め込んで固定するように構成することも可能である。
【００２２】
また前記セパレータ５には、長手方向に沿って該セパレータ５の一部をなすと共に、該セパレータ５から切り起こし可能に複数の仕切り片６が所定の間隔で設けられている。これらの複数の仕切り片６は、図２に示すように前記セパレータ５が区画した前記ダクト本体２の内部空間の一方に向けて略直角に切り起こされることで、該内部空間を高さ方向に仕切る役割を担う。ちなみに前記仕切り片６は、前記ダクト本体２に設けられたケーブル引き出し孔４に対峙することのない位置、即ち、前記ダクト本体２の側壁の前記ケーブル引き出し孔４が形成されていない部位に対峙させてそれぞれ設けられる。
【００２３】
具体的には前記仕切り片６は、その基端部を前記セパレータ５に連接して該セパレータ５と一体に設けられた舌片からなる。前記仕切り片６の基端部は、例えば前記セパレータ５の高さ方向を２分する位置（Ｈ／２）として設定される。そして前記仕切り片６は、前記舌片の基端部を支点とし、その先端部を前記セパレータ５の側方に向けて折り曲げることで前記セパレータ５から切り起こし可能に設けられている。ちなみに前記舌片の長さ、つまり前記仕切り片６の長さは、前記セパレータ５により幅方向に区画された前記ダクト本体２の内部空間の幅（Ｗ／２）に設定されている。
【００２４】
尚、前記仕切り片６と前記セパレータ５とを連結する前記舌片の基端部には、図３に前記セパレータ５の部分断面構造を示すように所定深さの楔状の折り曲げ溝５ａが設けられている。従って前記仕切り片６は、前記セパレータ５の側部に向けて所定の押圧力を加えることで前記折り曲げ溝５ａを支点として傾倒し、これによって前記セパレータ５から切り起こされる。また前記ダクト本体２の内壁面には、図２に示すように前記仕切り片（舌片）６の基端部の高さ位置（Ｈ／２）に揃えて突起７が設けられている。そして前記セパレータ５から略直角に切り起こされた前記仕切り片６は、その先端部を前記突起７に係合させることでその切り起こし姿勢が弾性的に保持されるようになっている。
【００２５】
また図４に示すように前記仕切り片６を前記セパレータ５から切り起こすことで該セパレータ５に形成される開口部は、前記セパレータ５によって幅方向に区画された前記ダクト本体２の内部空間を連通するケーブル挿通部８として用いられる。尚、このようにして形成されるケーブル挿通部８とは別に、図１および図４に示すように前記セパレータ５における前記複数の仕切り片６の形成部位を避けた部位に、即ち、前記セパレータ５の下半分の領域に予めケーブル挿通孔９を設けておいても良い。
【００２６】
ここで図４は、複数の仕切り片６を、前記セパレータ５の両側に交互に切り起こした例を示している。このように前記仕切り片６を切り起こした場合には、前記ダクト本体２の内部空間は、図２に示したように幅方向および高さ方向にそれぞれ区画される。従って前記ダクト本体２の内部空間は、４つの空間に仕切られることになる。また前記仕切り片６を前記セパレータ５の一方の側にだけ切り起こした場合には、該仕切り片６が切り起こされた側の内部空間だけが高さ方向に区画される。従ってこの場合には、特に図示しないが前記ダクト本体２の内部空間は３つの空間に仕切られることになる。
【００２７】
かくして上述した如く構成された配線用ダクト１によれば、前記ダクト本体２の底面部に前記セパレータ５を装着するだけで、該ダクト本体２の内部空間を幅方向に区画することができる。また前記セパレータ５に設けられた前記仕切り片６を切り起こすことで、前記ダクト本体２の内部空間を更に高さ方向に区画することができる。この結果、この実施形態によれば前記配線用ダクト１により設定されるケーブルの配線領域を、最大４つの領域に区画することができ、これらの各区画領域を用いて各種のケーブルを、例えばその用途別、或いは電気回路別等に分類して敷設することができる。従って複数のケーブル間での誘導障害等を簡易にして効果的に防ぐことが可能である。
【００２８】
特に制御盤の内部に設けられた前記配線用ダクト１の両側から前記ケーブル引き出し孔４を通して、更には必要に応じて前記ケーブル挿通部８や前記ケーブル挿通孔９を通して前述した如く区画した内部空間からケーブルを引き出すことができる。故に従来のように配線用ダクト１の外側において複数のケーブルを分類し、分類したケーブルを個々に束ねて各種の電気回路部まで敷設する必要がない。従ってケーブルの敷設作業が容易であり、また電気回路部の機能変更等に対しても十分に対処することができる。
【００２９】
尚、本発明は上述した実施形態に限定されるものではない。例えば図５に示すように前記仕切り片６を高さ位置を異ならせて前記セパレータ５に２段に亘って設けることも可能である。この場合、上下２段に設けられる前記仕切り片６が前記セパレータ５の長さ方向に交互に配列されるように定めることが望ましい。このようにすれば前記ダクト本体２の内部空間を高さ方向に３つに区画することが可能となり、最大６つのケーブル配線空間を形成することが可能となる。
【００３０】
また実施形態では前記仕切り片６を上向きに形成し、その上端側を切り起こすものとして説明した。しかし前記仕切り片６を下向きに形成し、その下端側を切り起こすように構成することも可能である。但し、この場合には、前記仕切り片６を前記ダクト本体２の内底部側から持ち上げることが必要となる。従って前記仕切り片６を実施形態に示したように上向きに形成した方が、前記仕切り片６を前記ダクト本体２の内底部側に向けて押し込むだけで良いので、その取り扱い性が良いと言える。
【００３１】
また前記ダクト本体２の内壁面に設けられて前記仕切り片６の先端部に係合する突起７に代えて、該仕切り片６の先端部が嵌め込まれる溝を形成しても良い。但し、この場合には溝を形成した分、前記ダクト本体２の内壁面の厚みが薄くなるので、曲げ強度的には前述した突起７を設ける方が好ましい。その他、本発明はその要旨を逸脱しない範囲で種々変形して実施することができる。
【符号の説明】
【００３２】
１  配線用ダクト
２  ダクト本体
３  蓋体
４  ケーブル引き出し孔
５  セパレータ
５ａ  折り曲げ溝
６  仕切り片
７  突起
８  ケーブル挿通部
９  ケーブル挿通孔
【図１】
2015082966.tif 000003
【図３】
2015082966.tif 000004
【図４】
2015082966.tif 000005
【図５】
2015082966.tif 000006
【図２】
2015082966.tif 000007